Podtech/llm-jp-corpus-v4-ja_patent huggingface dataset:
(57)【要約】      （修正有）【課題】フィットし、尚且つずれないマスクを提供する。【解決手段】マスクは、マスク本体とゴム紐とを備え、マスク本体の上辺と下辺にゴム通し部Ａ、Ｂを設け、ゴム紐をゴム紐通し上部Ａからゴム紐通し下部Ｂへ通す。ゴム紐を引っ張り、ギャザーを寄せて着用することで、フィットし、ずれない。【選択図】図１
0003229301.tif 000002
【実用新案登録請求の範囲】
【請求項１】
マスクにおいて、ゴム紐をマスクの上辺から下辺へと通すことを特徴とし尚且つ、ゴムを引っ張りギャザーを寄せて着用することで、フィットしずれないマスク。
【考案の詳細な説明】
【技術分野】
【０００１】  本考案はマスクに関するもので、特にゴム紐の通し方に関するものである。
【背景技術】
【０００２】  現在、新型ウイルスの世界的な蔓延により、感染を防ぐためのマスク着用が日常生活の必須となっている。【０００３】  また、そのような中でも花粉症を発症する人も多く、マスクの需要は増える一方である。【０００４】  しかしながら、マスクを購入することができない状態が続いているため、手作りマスクを作成し使用する人が急増している。【０００５】  実際マスクを作成すると、大きさが顔に合わない場合や、着用中にずれ、手で触れて位置を直すなど、マスクの着用効果が著しく落ちる様子を多々見てきた。
【考案の概要】
【考案が解決しようとする課題】
【０００６】  本考案は上記の問題を解決するために、フィットし、尚且つずれないマスクを作成することを目的とする。
【課題を解決するための手段】
【０００７】  上記の課題を解決するために、ゴム紐をマスクの上辺から下辺へと通す方法を考案する。【０００８】  マスクの形状、大きさは問わない。【０００９】  ゴム紐は１本を使用することが望ましい。
【考案の効果】
【００１０】  ゴム紐を引っ張ることによりギャザーを寄せ、顔にフィットさせることが可能となる。【００１１】  上辺（鼻部）と下部（顎部）で引っ張る強さを変えることが可能であり、誰にとっても丁度良い着用感を得られるようになっている。
【図面の簡単な説明】
【００１２】  ここで説明した図面は、本考案に対するさらなる理解を提供するために用いられるものであり、本考案について不当な限定を構成するものではない。
【図１】本考案に係るマスクの全体図である。
【考案を実施するための形態】
【００１３】  本考案をさらに詳しく説明する。ここで述べた具体的な実施例は、本考案を解釈するためのものに過ぎず、本考案を限定するものではない。
【００１４】  図１に示すＡ及びＢ部分に、ゴム紐を通すことが可能な部分を作成する。一般的にゴム通し部と呼ばれる部分である。
【００１５】  図１に示す▲１▼→▲２▼→▲３▼→▲４▼→の順にゴム紐を通し、▲５▼で結ぶ。
【実施例】
【００１６】  図１に示す▲６▼を耳にかけ、マスク本体を顔の中心に置き、片手で押さえつつ、図１に示す▲１▼及び▲４▼部のゴムを丁度良いと感じるまで引き。図１の▲５▼を結び、反対の耳にかける。【００１７】  上記実施例により一度図１に示す▲５▼部を結べば、２回目からは不要となる。
【符号の説明】
【００１８】▲１▼−ゴム紐通し口１
▲２▼−ゴム紐通し口２
▲３▼−ゴム紐通し口３
▲４▼−ゴム紐通し口４
▲５▼−ゴム紐結び部及び後で耳にかけるゴム紐部
▲６▼−先に耳にかけるゴム紐部
Ａ−ゴム紐通し上部
Ｂ−ゴム紐通し下部
【図１】
0003229301.tif 000003
【手続補正書】
【提出日】令和2年8月17日(2020.8.17)
【手続補正１】
【補正対象書類名】実用新案登録請求の範囲
【補正対象項目名】全文
【補正方法】変更
【補正の内容】
【実用新案登録請求の範囲】
【請求項１】
マスク本体と、ゴム紐と、を備えたマスクにおいて、前記ゴム紐を前記マスク本体のゴム紐通し上部から前記マスク本体のゴム紐通し下へと通すことを特徴とし、尚且つ、前記ゴム紐を引っ張り、ギャザーを寄せて着用することで、フィットしずれないマスク。
(57)【要約】      （修正有）【課題】つまみ部が指に絡みやすく片手で容易に抜栓できる包装用容器の栓を提供する。【解決手段】栓本体部２とつまみ部３とからなる包装用容器の栓１であって、前記つまみ部３の側面全周にわたり同一形状をした斜め格子状リブ４を等間隔で設け、前記斜め格子状リブ４で囲まれた部分の形状は、四角錐状の凹形５ａあるいは凸形の何れか一つで形成されている。【選択図】図１
0003229310.tif 000002
【実用新案登録請求の範囲】
【請求項１】
栓本体部とつまみ部とからなる包装用容器の栓であって、前記つまみ部の側面全周にわたり同一形状をした斜め格子状リブを等間隔で設けたことを特徴とする包装用容器の栓。
【請求項２】
前記斜め格子状リブで囲まれた枠の形状は、方形あるいは菱形の何れか一つで形成されていることを特徴とする請求項１記載の包装用容器の栓。
【請求項３】
前記斜め格子状リブで囲まれた部分の形状は、四角錐状の凹形あるいは凸形の何れか一つで形成されていることを特徴とする請求項１又は２記載の包装用容器の栓。
【請求項４】
前記斜め格子リブのピッチは、１ｍｍ〜３ｍｍであることを特徴とする請求項１〜３何れか１項に記載の包装用容器の栓。
【考案の詳細な説明】
【技術分野】
【０００１】本考案は、飲料、お酒、醤油等の液体飲料、調味料等を収容する包装用容器の栓に関する。
【背景技術】
【０００２】包装容器の栓のつまみ部分は、例えば特許文献１又は特許文献２に示すように回転方向の指の引っ掛かりを重視した形状となっている。
【先行技術文献】
【特許文献】
【０００３】
【特許文献１】特開平９―２７２５５２号公報
【特許文献２】特開２０００−７００２号公報
【考案の概要】
【考案が解決しようとする課題】
【０００４】従来の包装用容器の栓のつまみ部分は、上述のように、回転方向の指の引っ掛かりを重視した縦方向のみにスジのあるいわゆる平目の形状となっているため栓を引き抜く動作を行う際には滑りやすくなっていた。また、つまみ部分を把持する範囲が狭く掴み難いという課題もあった。
本考案は、上記課題を解決するため、抜栓の際に回転方向と引き抜き方向両者の動作を容易とした包装用容器の栓を提供することを目的とする。
【課題を解決するための手段】
【０００５】本考案の包装用容器の栓は、栓本体部とつまみ部とからなる包装用容器の栓であって、前記つまみ部の側面全周にわたり同一形状をした斜め格子状リブを等間隔で設け、前記斜め格子状リブで囲まれた部分の形状は、四角錐状の凹形あるいは凸形の何れか一つで形成されていることを特徴としている。
【考案の効果】
【０００６】本考案の包装用容器の栓を使用すれば、つまみ部分が指に絡みやすく握りやすいため容易に抜栓することができる。
【図面の簡単な説明】
【０００７】
【図１】本考案に係る包装用容器の栓で、つまみ部の斜め格子状リブに囲まれた部分の形状が凹形の場合の正面図である。
【図２】図１の平面図である。
【図３】図２のＡ−Ａ線片側断面図である。
【図４】本考案に係る包装用容器の栓で、つまみ部の斜め格子状リブに囲まれた部分の形状が凸形の場合の正面図である。
【図５】図４の平面図である。
【図６】図５のＢ−Ｂ線片側断面図である。
【図７】本考案に係る包装用容器の栓と、この栓が使用される包装用容器を示す斜視図である。
【考案を実施するための形態】
【０００８】以下、本考案に係る包装用容器の栓の実施の形態について図１〜図７に基づいて説明する。
包装用容器の栓１は飲料、お酒、醤油等に用いられる硝子の包装用容器１２の注出口１４を閉じるためのものであり、栓本体部２及びつまみ部３から構成され、使用時には栓本体部２の底部にアルミ箔６が貼り付けられる。
つまみ部３は円筒形状となっており、栓本体部２に覆いかぶさる状態でかしめられている。通常、栓本体部２及びつまみ部３の素材は、それぞれ低密度ポリエチレン樹脂、アルミニウムなどが使用される。
【０００９】つまみ部３には側面全周にわたり同一形状をした幅０．２ｍｍ〜１ｍｍの複数の左斜めリブと右斜めリブが格子状に組み合わされた斜め格子状リブ４が等間隔すなわち同じピッチｐで形成されている。
斜め格子状リブ４のピッチｐは請求項４に記載のように１ｍｍ〜３ｍｍの範囲とすれば指に絡みやすく引っ掛かりが良いため効果的である。
斜め格子状リブ４に囲まれた枠の形状は、左斜めリブと右斜めリブが直角に交差するように形成された場合は方形となり、直角以外の角度で交差する場合は菱形となるが、請求項２に記載のようにこれらの何れか一つで形成されている。
また、斜め格子状リブ４に囲まれた部分の形状は、四角錐状の山５の頭頂点がリブの奥側にあるものを凹形５ａ、外側にあるものを凸形５ｂとし、請求項３に記載のようにこれらの何れか一つで形成されている。
なお、つまみ部３の側面全周にわたり形成される斜め格子状リブ４、凹形５ａあるいは凸形５ｂは一般に転造で成形加工される。
【００１０】図１〜図３は、凹形５ａが形成された包装用容器の栓１に対応し、また、図４〜図６は、凸形５ｂが形成された包装用容器の栓１に対応している。
凹形５ａが形成された包装用容器の栓１と凸形５ｂが形成された包装用容器の栓１との使い分けは主に利用者の好みによるが、特に密封度を要する包装用容器については抜栓効果の高い凸形５ｂが形成された包装用容器の栓１の方が効果的である。
【００１１】本考案の包装用容器の栓１を使用する場合は、図７に示すように、つまみ部３を指でつまみ、包装用容器１２の抽出口１４に内壁面１３に沿って差し込めばよいし、また、抜栓する場合は同様につまみ部３を指でつまみ、栓を回しながら引き抜けばスムーズに抜くことができる。
このように本考案の包装用容器の栓１は従来の栓に比べ引き抜く動作がしやすくなるので、たとえ栓と内壁面１３との間が固着した場合でも容易に抜栓することができる。
【符号の説明】
【００１２】１    包装用容器の栓
２    栓本体部
３    つまみ部
４    斜め格子状リブ
５    四角錐状の山
５ａ  凹形
５ｂ  凸形
６    アルミ箔
１２  包装用容器
１３  包装用容器の内壁面
１４  包装用容器の注出口
ｐ    斜め格子状リブのピッチ
【図１】
0003229310.tif 000003
【図２】
0003229310.tif 000004
【図３】
0003229310.tif 000005
【図４】
0003229310.tif 000006
【図５】
0003229310.tif 000007
【図６】
0003229310.tif 000008
【図７】
0003229310.tif 000009
(57)【要約】      （修正有）【課題】津波や洪水の水害発生時に、岸壁や堤防を乗り越えたり決壊したりして建物が浸水したり、浮遊物等の衝突により建物が破損することを防止できる上方伸長式堤防を提供する。【解決手段】上方伸長式堤防は、格納庫２に格納された膨縮自在な筒状密閉膜材の筒体３に、注入装置５から圧縮空気もしくはヘリウムガスを注入して膨張し上方に伸長して所望高さ（例えば３ｍ以上）にすることで高水位の海水や川水の浸水から建物を防護する。又、ＦＲＰ製材もしくは金属製材の外壁４を装備して浮遊物等の衝突から建物を防護する。【選択図】図１
0003229308.tif 000002
【実用新案登録請求の範囲】
【請求項１】
格納庫に格納された膨縮自在な筒状密閉膜材の筒体に注入装置から圧縮空気もしくはヘリウムガスを注入することで筒体が膨張し上方に伸長して所望高さ（例えば３ｍ以上）にすることで高水位の海水や川水の浸水に対応できる機能と、ＦＲＰ製材もしくは金属製材の外壁を装備して浮遊物等の衝突から堤防を防護できる機能を有する上方伸長式堤防。
【考案の詳細な説明】
【技術分野】
【０００１】  本願考案は、津波や洪水の水害発生時に、海水や川水の浸入を堰止める機能を有した堤防に関して、詳しくは平常時は下方の低高さに縮小しているが津波や洪水発生時に上方に伸長させて海水や川水の浸入を堰止めようとした上方伸長式堤防に関するものである。
【背景技術】
【０００２】  津波や洪水の水害発生時に、従来の堤防では岸壁や河川の堤防を乗越えたり、決壊したりして住宅地全域が浸水して個々の建物が水没することが起こったり、浮遊物等の衝突で建物が損傷することが起こり得る。
【先行技術文献】
【０００３】
【特許文献１】特開２０１６−１２３０３１公報
【考案の概要】
【考案が解決しようとする課題】
【０００４】  本願考案は、膨縮自在な密閉膜材からなる簡易な構造体であって、平常時は下方の低高さに縮小しているが津波や洪水の発生時に上方に伸長させて海水や川水の浸水を堰止める機能を有した上方伸長式堤防を提供することを目的としている。
【課題を解決するための手段】
【０００５】  本願考案は、上記課題を解決するための手段として次の構成を有している。【０００６】  「本願請求項１の考案」
本願請求項１の考案は、敷地内の建物の外周に設置して平常時は下方の低高さに縮小しているが津波や洪水発生時に上方に伸長させて海水や川水の浸入を堰止める機能を有した上方伸長式堤防を対象としている。尚、本願考案の名称は「上方伸長式堤防」であるが、以下の説明ではこの「上方伸長式堤防」を単に「堤防」と表現することがある。【０００７】  本願請求項１の考案の堤防は、ＦＲＰ製材もしくは金属製材に格納された膨縮自在な筒状密閉膜材からなる筒体と圧縮空気もしくはヘリウムガスを注入する注入装置を備えている一方、筒体は、注入装置により圧縮空気もしくはヘリウムガスを注入することで上方に伸長して所望高さ（例えば３ｍ以上）にすることで高水位に対応する堤防になることができることを特徴としている。【０００８】  本願請求項１の考案の堤防は、筒体の外側にＦＲＰ製材もしくは金属製材の外壁を装備することで浮遊物等の衝突による筒体への衝撃を緩和するとともに、損傷により浸水して水没することを防止するとともに、堤防底部のアンカーを所定深さの地中に埋め込むことで強固（流されたり、倒れたりしないよう）にできることを特徴としている。【０００９】  上記の堤防に格納された膨縮自在な筒状密閉膜材からなる筒体は、比較的強靭な非通気性シート材（例えばテント材）が使用されている。通常は、筒状密閉膜材からなる筒体が偏平状に縮んでいて上下厚さが薄くなっているが、該筒状密閉膜材に圧縮空気もしくはヘリウムガスが注入されると筒体が膨張し、上方に伸長するものである。【０００１０】  上記の圧縮空気もしくはヘリウムガスの注入装置は、空気もしくはヘリウムガスを圧縮状態で封入したバルブ付きのガスボンベを使用したものである。
【考案の効果】
【００１１】  本願請求項１の堤防は、膨縮自在な筒状密閉膜材からなる筒体に注入装置から圧縮空気もしくはヘリウムガスを注入することで、膨張した筒体が上方に伸長して所望高さ（例えば３ｍ以上）にすることで、高水位により建物が浸水したり、損傷したりすることを防止できる効果がある。【００１２】  又、本願請求項１の堤防は、ＦＲＰ製材もしくは金属製材の外壁を装備することにより、浮遊物等の衝突による筒体への衝撃を緩和するとともに、損傷により浸水して水没することを防止する効果がある。
【図面の簡単な説明】
【００１３】
【図１】  本願実施例の堤防の断面図と水害時の堤防形態図
【考案を実施するための形態】
【００１４】  以下、図１を参照して本願の実施例を説明すると、この実施例の堤防は、ＦＲＰ製材もしくは金属製材の外壁を装備した上方伸長式の堤防として製作されたものである。尚、以下の実施例においても本願の上方伸長式堤防を堤防と表現することがある。
【００１５】  図１にある堤防１は、平常時は堤防１に設置された格納庫２に、膨縮自在な筒状密閉膜材からなる筒体３を偏平状に縮んで上下厚さが薄くなった状態で格納されている。
【００１６】  図１にある堤防１が、緊急時（水害発生時）には格納された状態の筒体３に、注入装置５のバルブを開放して供給管６を通して圧縮空気もしくはヘリウムガスが注入されることにより、筒体３が図１に示すように膨張し、上方に伸長して所望高さ（例えば３ｍ以上）になることができる。又、注入装置５のバルブで注入量を調整することで筒体３の所望高さを調整することができる。
【００１７】  図１にある堤防１の格納庫２の筒体３の周囲にＦＲＰ製材もしくは金属製材の外壁４を取り付けて堤防１を浮遊物等の衝突による衝撃や損傷から防護することができる。
【００１８】  図１にある堤防１の格納庫２は、アンカー２ａを所定深さの地中に打ち込んで固定して津波や洪水Ｗに流されたり、倒れたりしないようにすることができる。
【符号の説明】
【００１９】  １は堤防、２は格納庫、２ａは底部アンカー、３は筒状密閉膜材の筒体、４はＦＲＰ製材もしくは金属製材の外壁、５は注入装置、６は供給管である。
【図１】
0003229308.tif 000003
(57)【要約】      （修正有）【課題】マスクの表と裏の汚れを防ぎ、マスクが長時間清潔に使用できるマスク保護カバーを提供する。【解決手段】マスク保護カバーは、不織布、布または紙に、６か所に切れ目を入れて、裁断したもので、半折りすることにより、マスクに保護カバーを簡単にセットし、マスクの表と裏の汚れを防止し、マスクは長時間清潔に使用することに役立つ。【選択図】図１
0003229375.tif 000002
【実用新案登録請求の範囲】
【請求項１】
マスクに通気性がよいマスク保護カバーをセットし、マスクの表と裏の汚れを防ぐ事で、マスクを長時間清潔に使用する事を特徴とするマスク保護カバー。
【考案の詳細な説明】
【技術分野】
【０００１】  本考案は、マスクの表と裏の汚れを防ぐために、通気性がよいマスク保護カバーに関するものである
【背景技術】
【０００２】    ２０２０年、世界中に新コロナウィルスの流行に伴う使い捨てマスクの価格高騰と入荷困難であることです。
【考案の概要】
【考案が解決しようとする課題】
【０００３】  ２０２０年新コロナウィルスにより使い捨てマスクの価格高騰と入荷困難により、皆の生活と仕事が大変困っています。従って、マスク保護カバー機能とマスクの機能を合わせて、マスクを長く使えます。簡単に大量生産ができるよって、入手簡単と経済節約ができます。
【課題を解決するための手段】
【０００４】  本考案は、マスクに換気性がよい不織布や布や紙に６カ所に切れ目を入れ裁断して、半折りによりマスク保護カバーなり、マスクの表と裏の汚れを防ぐことができて、毎日マスクの交換と洗濯、高値マスクと入手困難の問題点を解決している。
【考案の効果】
【０００５】  上述のように、マスク保護カバーを使って、マスクの表と裏が長時間清潔に使用すると役立つ。
【図面の簡単な説明】
【０００４】
【図１】本考案の耳掛け式マスク保護カバーの正面図である
【図２】本考案の耳掛け式マスク保護カバーの実施例を示す正面図である
【図３】本考案の耳掛け式マスク保護カバーの完成図である
【図１】
0003229375.tif 000003
【図２】
0003229375.tif 000004
【図３】
0003229375.tif 000005
【手続補正書】
【提出日】令和2年8月27日(2020.8.27)
【手続補正１】
【補正対象書類名】実用新案登録請求の範囲
【補正対象項目名】全文
【補正方法】変更
【補正の内容】
【実用新案登録請求の範囲】
【請求項１】
不織布、布または紙に、６カ所に切れ目を入れて、裁断して、半折りにより、マスクを保護するマスク保護カバー。
(57)【要約】      （修正有）【課題】パチンコ台やスロット台を外す際、安価かつ取り付けが容易で、さらには表面に無駄な空間を残さない目隠し箱を提供する。【解決手段】パチンコ台やスロット台を外した後の空間を隠す目隠し箱であって、扉または蓋付の段ボール箱とすることで安価かつ取り付けを容易にする。さらに表面にフックや吸盤などを取り付けることにより、無駄な空間をなくす。【選択図】図１
0003229372.tif 000002
【実用新案登録請求の範囲】
【請求項１】
従来、パチンコ台及びスロット台を外した後の空間を目隠しする目隠し板という物がある。本考案はこれに段ボール素材を使用し、箱型にし、扉または蓋つきで製作した全く新しいタイプの目隠し器具である。扉又は蓋を開けて前面から取り付けでき、その後扉や蓋を閉めるだけで完成するため、店内スタッフや関係者が簡単かつ安全に組み立てられる。段ボール素材を使用しているため丈夫であり、また廃棄するさいも環境にやさしい資源として再利用できる。さらに扉や蓋の表面の空きスペースを利用して、景品の展示や新規情報などの発信も可能となる。
【考案の詳細な説明】
【技術分野】
【０００１】  本考案はパチンコ台やスロット台を一時的に外した後に空いた空間を目隠しし、かつ利用し、景品などを展示する並びに情報を発信するものである。
【背景技術】
【０００２】従来、パチンコ台やスロット台を外した後は空きスペースとなってしまっていたところには板状の物（プラスチックなど）を貼り付けていた。【０００３】  従来、板状の物を貼り付けるには専門業者に依頼する、またはスタッフ自らが隣接する台の裏から取り付けるなど、難しい作業であった。【０００４】  従来、パチンコ台やスロット台を戻した後、取り外された板（プラスチックなど）の処分が環境問題となっていた。【０００５】従来、板を設置するだけでは空きスペースを無駄にしていた。
【考案の開示】
【考案が解決しようとする課題】
【０００６】本考案はパチンコ台やスロット台を一時的に外した後に空いた空間を目隠しする為、同サイズの扉付きまたは蓋付箱を取り付け、並びに箱の上に景品などを取り付け展示する、並びに広告などを情報発信するものである。
【課題を解決するための手段】
【０００７】本考案は、安価な段ボールを利用する。箱は扉付きまたは蓋付の形状となっているため、頑丈かつ繰り返し使用できる。また、簡単な組み立て式となっているためスタッフや店内関係者が取り付けできる。さらに段ボールを利用することによって資源として再利用できる。また扉及び蓋の上にフックや吸盤などを取り付けて、景品や広告を展示できるため、空きスペースが無駄になるという問題点を解決できる。
【考案の効果】
【０００８】  上述のように、本考案は取り付け段ボール箱の折り目に沿って簡単に組み立てられる。扉又は蓋を開けることで、前面から簡単に取り付けでき、扉及び蓋を閉めれば作業は完了する。【０００９】段ボール箱を折り曲げるだけで組み立てられるため、固定テープなどの道具はほとんど必要ない。安価、かつ組み立て手順の簡略化により、スタッフや店内関係者のみで簡単に取り付けできる。【００１０】扉及び蓋の上に簡易フックや吸盤掛け器具などを取り付けることで、景品や広告品などが展示できる。
【考案を実施するための最良の形態】
【００１１】本考案は、段ボールを箱型にし、片側に扉もしくは蓋を付ける方式で前面から内側天地にネジや釘を挿し固定した後、扉もしくは蓋で閉じる。【００１２】段ボール箱の上にフックや吸盤掛け器具を取り付けることで景品、広告品を展示できる。
【実施例】
【００１３】以下、添付図面に従って一実施例を説明する。
１は目隠し箱、２は箱の扉、３は箱の蓋、４は箱の固定ネジ、５は扉及び蓋の上に取り付けフック。【００１４】１の折り目に沿って箱を組み立て、空きスペースに填めこみ、１の内側の天地に４のネジや釘等で固定する、２の扉または３の蓋を閉じる。【００１５】２または３の表面にフックや吸盤などを取り付けることで、景品展示や広告などに利用できる。
【図面の簡単な説明】
【００１６】
【図１】本考案の目隠し扉または蓋付き箱を示す全体組立図である。
【図２】目隠し箱実施例図である。
【図３】本考案を景品展示や広告利用する場合の略図である。
【符号の説明】
【００１７】１    本体段ボールケース（１ａ組み立て前，２ｂ組み立て方法）
２    本段ボール扉付きまたは蓋付（２ａ，２ｂ）
３    上下取り付け用螺子または釘（３ａ，３ｂ）
４    パチンコ台またはスロット台（４）
５    景品など掛けるフックや吸盤（５ａ，５ｂ）
【図１】
0003229372.tif 000003
【図２】
0003229372.tif 000004
【図３】
0003229372.tif 000005
【手続補正書】
【提出日】令和2年6月17日(2020.6.17)
【手続補正１】
【補正対象書類名】実用新案登録請求の範囲
【補正対象項目名】全文
【補正方法】変更
【補正の内容】
【実用新案登録請求の範囲】
【請求項１】
従来、パチンコ台及びスロット台を外した後の空間を隠す目隠し板という物があるが、本考案はこれを扉または蓋つきで製作し、段ボール素材を使用した箱型のもので
（１）段ボール素材にすることでコストがかなり抑えられる、
（２）段ボール素材を使用し、扉または蓋つき箱型することで、店内スタッフや関係者が簡単に組み立でき、迅速かつ安全に取り付けられる、
（３）段ボール素材にすることで廃棄するさいも環境にやさしい資源として再利用できる、
以上の（１）〜（３）の効果を持つ全く新しいタイプの目隠し箱。
【請求項２】
段ボール箱に付いている扉や蓋の表面の空きスペースを利用して、景品の展示や新規情報などの発信も可能となる目隠し箱。
【手続補正書】
【提出日】令和2年8月26日(2020.8.26)
【手続補正１】
【補正対象書類名】実用新案登録請求の範囲
【補正対象項目名】全文
【補正方法】変更
【補正の内容】
【実用新案登録請求の範囲】
【請求項１】
パチンコ台及びスロット台を外した後の空間を隠す目隠し箱であって、前記目隠し箱は扉または蓋つきで製作され、かつ、段ボール素材が使用された箱型のものである、目隠し箱。
【請求項２】
請求項１に記載された目隠し箱であって、前記目隠し箱の表面にフックや吸盤等を取り付けることで、前記目隠し箱の扉や蓋の表面の空きスペースを利用し、景品の展示や新規情報などの発信を可能とした目隠し箱。
(57)【要約】      （修正有）【課題】ペットボトルや缶ボトル等のキャップを外した後に、その外したキャップをボトル本体に容易に貼り付けられるキャップを提供する。【解決手段】ペットボトルや缶ボトル等３のキャップ１の上面に両面テープ２を取付けし、キャップ１を外した後に、キャップ１の上面に取付けされた両面テープ２の粘着力でボトル本体３に簡単に貼付け出来る。【選択図】図１
0003229371.tif 000002
【実用新案登録請求の範囲】
【請求項１】
ペットボトルや缶ボトル等のキャップ及び蓋の上面に、両面テープを取付けする事により、外した後のキャップ及び蓋を、ボトル本体やその他の場所に容易に貼付けできる構造とした、両面テープ付のキャップ及び蓋。
【考案の詳細な説明】
【技術分野】
【０００１】本考案は、ペットボトルや缶ボトルのキャップ及び蓋の上面に両面テープを取付けし、ボトル本体から外したキャップ及び蓋を、ボトル本体に簡単に貼付けできるようにした両面テープ付のキャップ及び蓋に関するものである。
【背景技術】
【０００２】ボトル本体から外したキャップ及び蓋を何処に置けばいいのか悩む事があった。車内であれば助手席のシートの上やドアポケットに入れていた。又、ボトル本体を持っていない片側の手で外したキャップ及び蓋を持つ場合は、両手が塞がってしまっていた。
【考案の概要】
【考案が解決しようとする課題】
【０００３】ボトル本体からキャップ及び蓋を外した後に、それの置き場所に悩んでしまう。
ボトルの中身を連続して飲む場合には、その都度キャップ及び蓋を開け閉めするのは面倒である。
ボトル本体を持っていない片側の手で、キャップ及び蓋を持つと両手が塞がってしまう。
本考案は外した後のキャップ及び蓋をボトル本体に容易に貼り付けられる事により、これらの問題を解決できるものとした。
【課題を解決するための手段】
【０００４】本考案はボトルのキャップ及び蓋の上面に両面テープを取付けた構造にする。
取付けする両面テープの大きさ及び面積は、キャップ及び蓋の上面の面積の１０分の１程度あれば十分にキャップ及び蓋を、ボトル本体や他の場所に貼付けする事ができる。
又、厚み１ｍｍ以上の発砲基材付の両面テープであれば多少の凹凸がある場所にも貼付けが可能である。
使用の際はあらかじめ両面テープの剥離紙を剥がしておき、ボトル本体から外した後にそのキャップ及び蓋をボトル本体や他の場所に貼り付けする。
【考案の効果】
【０００５】外したキャップ及び蓋をボトル本体や他の場所に容易に貼り付けできる事により、外した後のキャップ及び蓋の置き場が確保できる。
又、従来は外したキャップ及び蓋の置き場所が無い時は、片側の手で持っていなければならなかったがこれにより改善される。そしてボトルを持ちながらの食事や喫煙が容易に出来るようになったり、運転中の車内ではキャップ及び蓋の開け閉めをしなくてもよいので安全面も改善される。又、ボトル本体に貼り付けることにより、キャップ及び蓋の紛失が防げる。
【図面の簡単な説明】
【０００６】
【図１】本考案の実施例を示すものである。
【図２】本考案の実施例を示すものである。
【図３】斜視図
【図４】側面図
【考案を実施するための形態】
【０００７】キャップ及び蓋の上面に取付けされた両面テープの剥離紙を剥がしておき、ボトル本体からキャップ及び蓋を外した後にボトル本体に貼り付ける。又はボトル本体に貼り付けるのではなく、身近な場所にも簡単に貼付けが可能である。
【実施例】
【０００８】添付図面により実施例を説明する。図１、図２は外したキャップ及び蓋をボトル本体に貼り付けした例である。３のボトル本体から外した１のキャップ及び蓋を、２の両面テープの粘着力で貼り付ける。
【符号の説明】
【０００９】１  ボトル本体
２  キャップ及び蓋
３  両面テープ
【図１】
0003229371.tif 000003
【図２】
0003229371.tif 000004
【図３】
0003229371.tif 000005
【図４】
0003229371.tif 000006
【手続補正書】
【提出日】令和2年6月4日(2020.6.4)
【手続補正１】
【補正対象書類名】実用新案登録請求の範囲
【補正対象項目名】全文
【補正方法】変更
【補正の内容】
【実用新案登録請求の範囲】
【請求項１】
ペットボトルや缶ボトル等のキャプの上面に、両面テープを取付けする事により、外した後のキャップを、ボトル本体やその他の場所に容易に貼付けできる構造とした、両面テープ付のキャップ。
【手続補正書】
【提出日】令和2年8月20日(2020.8.20)
【手続補正１】
【補正対象書類名】実用新案登録請求の範囲
【補正対象項目名】全文
【補正方法】変更
【補正の内容】
【実用新案登録請求の範囲】
【請求項１】
ペットボトルや缶ボトル等のキャップの上面に、両面テープを取付けする事により、外した後のキャップを、ボトル本体やその他の場所に容易に貼付けできる構造とした、両面テープ付のキャップ。
(57)【要約】      （修正有）【課題】実際にイヌまたはネコの肛門から直腸に指を挿入して、摘便実技のできる摘便モデルを提供する。【解決手段】イヌもしくはネコを模した人形で、ウレタン材でイヌもしくはネコの肛門直腸の感触を再現した筒状物による肛門直腸モデルを装着した。【選択図】図１
0003229377.tif 000002
【実用新案登録請求の範囲】
【請求項１】
ウレタン材等でイヌもしくはネコの肛門直腸の感触を再現した縁付き筒状物による肛門直腸モデル
【請求項２】
肛門直腸モデルを容易に装着できるように臀部にファスナーのついたイヌまたはネコのぬいぐるみ
【考案の詳細な説明】
【技術分野】
【０００１】  本開発はイヌ・ネコの摘便モデルである。
【背景技術】
【０００２】  動物医療のトレーニングには実験動物が用いられてきているが、ヒト医療だけでなく動物医療でも代替法の開発が急務である。愛玩動物医療においては、ネコでは慢性便秘、巨大結腸症、イヌでは会陰ヘルニアなどの難治性の排便障害があり、治療で摘便（指を挿入して糞塊を掻き出すこと）を看護法として実施しなければならないことが多い。指を直腸に挿入して、慢性便秘の疾病診断および摘便法を実施できる技術訓練をするために、イヌ・ネコ摘便モデルを作成した。
【先行技術文献】
【０００３】
【特許文献１】イヌ・ネコの肛門モデル  実登３１８７９３６
【特許文献２】ネコ触診モデル  実登３１８７９３７
【特許文献３】イヌ・ネコの新生児モデル  実登３２０１６４７
【特許文献４】イヌ・ネコの出産モデル  実登３２０１６４８
【特許文献５】イヌ乳腺腫瘍触診モデル  実登３２０７６１８
【特許文献６】イヌの耳処置モデル  実登３２１４４１９
【考案の概要】
【考案が解決しようとする課題】
【０００４】  獣医療実習には健常な実験動物を用いることが一般的であった。シミュレーション教材として本開発を用いることは、動物への負担が軽減され動物福祉の理念にも適合する。生体に近いイヌ・ネコの直腸診断を可能とするためにウレタン等の素材を用い、締まった肛門から指を挿入して直腸の触感を可能とする縁付きの内径約３ｃｍの筒状物を作成することによって摘便法を可能とする。この筒状物をイヌもしくはネコのぬいぐるみに埋め込むことによって動物を使用した時の実感を再現、また直腸内に糞のかわりに粘土を入れておくことで、糞塊除去の実技向上を目指す。
【課題を解決するための手段】
【０００５】  ウレタン等を用いた軟らかな素材で、生体と同様な形態と感触をもつ縁付き筒状物（肛門直腸モデル）を作成する。また、ネコもしくはイヌのぬいぐるみを作成し、人形の臀部をファスナーで開閉できるようにして、後方よりぬいぐるみ中にあらかじめ糞を模した粘土を充たした肛門直腸モデルを設置する。施術者は、肛門より指を挿入することで摘便法を学習する。
【考案の効果】
【０００６】  獣医師・動物看護師および便秘症例を抱えたイヌやネコの飼育者の実技教育の場において、摘便のシミュレーション実習が可能となる。
【図面の簡単な説明】
【０００７】
【図１】肛門直腸モデル（縁付き筒状物）  図１−ａ）横側面  図１−ｂ）尾側面  図１−ｃ）内側面
【図２】イヌもしくはネコのぬいぐるみ
【図３】臀部からの装着図
【考案を実施するための形態】
【０００８】  本発明について詳細に説明する。本発明は、ウレタン材等でイヌもしくはネコの肛門直腸の感触を再現した縁付き筒状物を、臀部がファスナーで開閉できて、筒状物の設置が容易なイヌもしくはネコのぬいぐるみの中に装着する。筒状物の中には既製品の黄褐色の粘土を入れ、糞塊を模す。
【実施例】
【０００９】  ウレタン材等でイヌもしくはネコの肛門直腸の感触を再現した縁付き筒状物（図１）を、柔らかな生地で作成したイヌ及びネコのぬいぐるみ（図２）に装着した。
肛門側から指を挿入することで、施術者はイヌもしくはネコの肛門と直腸の触診が可能となる。糞塊を模した粘土をあらかじめ入れておくことで、糞塊を除去する摘便実習が可能になる。
【符号の説明】
【００１０】［図１］肛門直腸モデル（縁付き筒状物）
（図１−ａ）横側面
ａ）直腸
（図１−ｂ）尾側面
ｂ）肛門
（図１−ｃ）内側面
ｂ）肛門
［図２］ぬいぐるみ、ネコの横側面
［図３］臀部からの装着図
ｂ）肛門
ｃ）ファスナー
【図１】
0003229377.tif 000003
0003229377.tif 000004
【図２】
0003229377.tif 000005
【図３】
0003229377.tif 000006
【手続補正書】
【提出日】令和2年8月20日(2020.8.20)
【手続補正１】
【補正対象書類名】実用新案登録請求の範囲
【補正対象項目名】全文
【補正方法】変更
【補正の内容】
【実用新案登録請求の範囲】
【請求項１】
ウレタン材でイヌもしくはネコの肛門直腸の感触を再現した縁付き筒状物による肛門直腸モデル。
【請求項２】
臀部にファスナー構造を有するイヌまたはネコのぬいぐるみに容易に装着できる請求項１記載の肛門直腸モデル。
(57)【要約】      （修正有）【課題】実際に雄イヌの泌尿生殖器を視診及び触診できるかのような、体感のできる雄イヌの泌尿生殖器モデルを提供する。【解決手段】雄イヌの陰茎、精巣ｄ、亀頭球ｃ、尿道ａ、陰茎骨ｅを模した泌尿生殖器モデルであって、雄イヌの包皮及び陰嚢を有したぬいぐるみに装着する。【選択図】図１
0003229376.tif 000002
【実用新案登録請求の範囲】
【請求項１】
ウレタン材等で雄イヌの泌尿生殖器を模した泌尿生殖器モデル
【請求項２】
イヌの陰嚢と包皮を有した雄イヌのぬいぐるみ
【考案の詳細な説明】
【技術分野】
【０００１】  本開発は雄イヌの泌尿生殖器を再現した動物医療用モデルである。
【背景技術】
【０００２】  動物医療のトレーニングには実験動物が用いられるが、ヒト医療だけでなく動物医療でも代替法の開発が急務とされている。動物医療において、雄イヌの泌尿生殖器の視診および触診を可能とする代替教材を作成した。
【先行技術文献】
【０００３】
【特許文献１】イヌ・ネコの肛門モデル  実登３１８７９３６
【特許文献２】ネコ触診モデル  実登３１８７９３７
【特許文献３】イヌ・ネコの新生児モデル  実登３２０１６４７
【特許文献４】イヌ・ネコの出産モデル  実登３２０１６４８
【特許文献５】イヌ乳腺腫瘍触診モデル  実登３２０７６１８
【特許文献６】イヌの耳処置モデル  実登３２１４４１９
【考案の概要】
【考案が解決しようとする課題】
【０００４】  獣医療実習には健常な実験動物を用いることが一般的であった。シミュレーション教材として本開発を用いることは、動物への負担が軽減され動物福祉の理念にも適合する。生体に近いイヌの観察及び触診実習が可能なイヌの陰茎（ペニス）、精巣（睾丸）、陰茎骨、亀頭球の生殖器に、泌尿器となる尿道と膀胱も備えたもので、雄イヌの泌尿生殖器モデルを提供することで、動物医療技術が向上する。
【課題を解決するための手段】
【０００５】  ウレタン材等の生体に近似した触感を持つ素材で、生体を模した形態の陰茎、亀頭、左右の精巣を持つ。陰茎内にはカテーテルを用いた尿道と陰茎骨を模した細い円柱状のプラスチックもしくは木片が埋め込まれている。これらを雄イヌのぬいぐるみに埋め込むことで作成する。
【考案の効果】
【０００６】  獣医師・動物看護師・イヌ美容師の実習教育の場において雄イヌの視診および触診のシミュレーションが可能となる。
【図面の簡単な説明】
【０００７】
【図１】雄イヌの陰茎と精巣モデル  ａ）尿道、ｂ）尿道口、ｃ）亀頭球、ｄ）精巣、ｅ）陰茎骨
【図２】雄イヌのぬいぐるみ側面図  ａ）陰嚢、ｂ）包皮、ｃ）陰茎モデル
【図３】雄イヌぬいぐるみ尾側面図  ａ）陰嚢
【考案を実施するための形態】
【０００８】  本発明について詳細に説明する。本発明は、雄イヌの陰茎、亀頭球、精巣、尿道、陰茎骨の形態・感触・色彩を再現した泌尿生殖器を、陰嚢と包皮を備えた雄イヌのぬいぐるみに装着する。（図１）、（図２）、（図３）
【実施例】
【０００９】  雄イヌの陰茎と精巣を触診する。また、塩化ビニールで再現させた尿道では、尿道カテーテルの挿入実習をすることができる。（図４）
【符号の説明】
【００１０】［図１］雄イヌの陰茎と精巣モデル
ａ）尿道、ｂ）尿道口、ｃ）亀頭球、ｄ）精巣、ｅ）陰茎骨
［図２］雄イヌのぬいぐるみ側面図
ａ）陰嚢、ｂ）包皮、ｃ）陰茎モデル
［図３］雄イヌぬいぐるみ尾側面図
ａ）陰嚢
【図１】
0003229376.tif 000003
【図２】
0003229376.tif 000004
【図３】
0003229376.tif 000005
【手続補正書】
【提出日】令和2年8月20日(2020.8.20)
【手続補正１】
【補正対象書類名】実用新案登録請求の範囲
【補正対象項目名】全文
【補正方法】変更
【補正の内容】
【実用新案登録請求の範囲】
【請求項１】
ウレタン材で雄イヌの泌尿生殖器を模した泌尿生殖器モデル。
【請求項２】
雄イヌのぬいぐるみに装着できる、陰嚢と包皮を有した泌尿生殖器を特徴とする請求項１記載の泌尿生殖器モデル。
(57)【要約】      （修正有）【課題】非接触型ＩＤカードを駅改札等のタッチパネルに正確かつ簡単にタッチさせることができる指穴タブ付きカードケースを提供する。【解決手段】カードケース本体３に開閉自在の指穴２のあるタブ１を取り付けたものである。タブ１を開いた状態で指穴２に人差し指もしくは中指を差し込みパネルにタッチするときは、差し込んだ指以外は空に浮かせ、カードケース本体３を手のひらで軽く圧迫することで、正確かつ簡単にパネルにタッチさせることができる。【選択図】図２
0003229400.tif 000002
【実用新案登録請求の範囲】
【請求項１】
非接触型ＩＤカードを挿入するカードケース本体において、前記カードケース本体に開閉自在の指穴のあるタブを設けた事を特徴とする指穴タブ付きカードケース。
【考案の詳細な説明】
【技術分野】
【０００１】本考案はタッチパネル等に密着させやすくする非接触型ＩＤカード用のカードケースである。
【背景技術】
【０００２】駅改札等で多用されている非接触型ＩＤカードのタッチパネルであるが、従来のカードケースでは掴んでいる指が邪魔になってパネルに正確に密着させにくい。
【先行技術文献】
【特許文献】
【０００３】
【特許文献１】特開２００９−２６８７１４  公報
【考案の概要】
【考案が解決しようとする課題】
【０００４】駅改札等で多用されているタッチパネル方式であるが、従来のカードケースではケースを掴んでいる指の先がどうしてもケースの下面に出てパネルとの間に隙間ができてしまいミスタッチになりやすい。ミスタッチとなればゲート閉鎖等後続の人々にも迷惑がかかる。
パネルに密着させるには指を離し密着させるほかないが、その後またケースを掴みなおさなければならない。前進歩行しながらの作業となるので掴み損ねたり、落としてしまったりしやすい。
それを避けるため財布や名刺入れ、携帯電話カバー等の分厚いものにカードを入れている人も多いが、薄くて済むものをわざわざ分厚くするとは本末転倒であり、貴重品等はひったくりやスリに狙われやすい。
【課題を解決するための手段】
【０００５】非接触型ＩＤカードを挿入するカードケース本体において、前記カードケース本体に開閉自在の指穴のあるタブを設けた事を特徴とする指穴タブ付きカードケースでタッチパネルに密着させやすいようにする。
【考案の効果】
【０００６】タッチパネルへの密着が正確かつ簡単にできるのでミスタッチのトラブルが無くなる。通勤等混雑時のトラブルも減ることとなり社会的貢献にも結びつく。【０００７】なお、先行技術文献特開２００９−２６８７１４にも指を差し込む突起物を付けたカードケース等が考案されているがケース面中央辺りに柔軟素材で可撓性のある突起物を設けることになっている。素材への具体的な言及がないので断定できないが、引っ張り力や圧縮力を繰り返し受けることで傾向として破損しやすく耐久性に乏しいものにならざるを得ない。ポケットやカバンに収納する時も突起物が邪魔になる。本考案は突起物でなく面材が１枚増えるだけでそれらの心配がない。
【図面の簡単な説明】
【０００８】
【図１】指穴のあるタブが閉じた状態の本考案のカードケース本体。
【図２】指穴のあるタブが開いた状態の本考案のカードケース本体。
【図３】本考案カードケースを持っている時の図。
【図４】本考案カードケースをタッチパネルにタッチする時の図。
【図５】従来のカードケースの使用状態を示す図。
【考案を実施するための形態】
【０００９】以下、図面に基づき本考案の実施形態を説明する。
【００１０】本考案はカードケース本体３と開閉自在の指穴のあるタブ１からなる。
【００１１】図１は正面斜視図で指穴のあるタブ１は閉じた状態である。図２は指穴のあるタブ１は開いた状態を示す。
【００１２】図３はタッチパネル通過前の本考案カードケースの掴み方を示している。人差し指もしくは中指を開いたタブの指穴２に差し込み他の指でカードの左右の長辺を掴んでいる状態である。図として分かりやすいので図３では人差し指を差し込んでいる図になっている。タッチパネル通過後の状態もこれと同じ。
【００１３】図４はタッチパネルにタッチしている時の状態を示している。人差し指は指穴２に差し込んだまま他の指は空に浮かし、手のひらでカードケース本体をパネルに軽く押し付けている。正確かつ簡単にタッチできる。
【００１４】図５は従来のタブの無いカードケース５をタッチパネルにタッチしようとしている状態を示す。掴んでいる指の先がどうしてもカードケースの下面に出てしまいパネルとの間に隙間ができてしまう。これはどんな掴み方をしていても大差なく、密着させるにはカードケースから指を離さなくてはならない。
【符号の説明】
【００１５】１  指穴のあるタブ
２  指穴
３  カードケース本体
４  タッチパネル
５  従来のカードケース
【図１】
0003229400.tif 000003
【図２】
0003229400.tif 000004
【図３】
0003229400.tif 000005
【図４】
0003229400.tif 000006
【図５】
0003229400.tif 000007
(57)【要約】      （修正有）【課題】使用者の足の指の太さに応じて調整することができるようにして使用感を向上させる指間装着具を提供する。【解決手段】指の間に装着する指間装着具１において、プレート２の上面に、隣り合う指にそれぞれ装着するための長さの異なるベルト３、４を設けるとともに、プレート２の下面に、それぞれのベルト３、４の端部を止着するための止着具１１、１２を設けることにした。これにより、ベルト３、４と止着具１１、１２との止着位置を変更することで使用者の指の太さに応じた調整を容易に行うことができる。また、ベルト３、４は、１本の帯状体１３の中途部をプレート２に取付けることにした。これにより、指間装着具１の製造が容易なものとなり、製造コストを下げることができる。【選択図】図１
0003229441.tif 000002
【実用新案登録請求の範囲】
【請求項１】
指の間に装着する指間装着具において、
プレートの上面に、隣り合う指にそれぞれ装着するための長さの異なるベルトを設けるとともに、プレートの下面に、それぞれのベルトの端部を止着するための止着具を設けたことを特徴とする指間装着具。
【請求項２】
前記ベルトは、１本の帯状体の中途部を前記プレートに取付けたことを特徴とする請求項１に記載の指間装着具。
【考案の詳細な説明】
【技術分野】
【０００１】
本考案は、指の間に装着する指間装着具に関するものである。
【背景技術】
【０００２】
従来より、足の指の間隔を保持するとともに指の付け根部分に刺激を与えるために指間装着具が使用されている。
【０００３】
たとえば、足の指間に装着する足用の指間装着具としては、特許文献１に開示されている円筒状の形態のものがある。
【特許文献１】特開２００５−３４４８８号公報
【考案の開示】
【考案が解決しようとする課題】
【０００４】
ところが、特許文献１に開示されている足用の指間装着具は、足の指の間に強制的に挿入して使用されるものであるために、使用者の足の指の太さに対応して調整することができず、使用者に不快感を与えてしまうおそれがあった。
【課題を解決するための手段】
【０００５】
そこで、請求項１に係る本考案では、指の間に装着する指間装着具において、プレートの上面に、隣り合う指にそれぞれ装着するための長さの異なるベルトを設けるとともに、プレートの下面に、それぞれのベルトの端部を止着するための止着具を設けることにした。
【０００６】
また、請求項２に係る本考案では、前記請求項１に係る本考案において、前記ベルトは、１本の帯状体の中途部を前記プレートに取付けることにした。
【考案の効果】
【０００７】
そして、本考案では、以下に記載する効果を奏する。
【０００８】
すなわち、本考案では、指の間に装着する指間装着具において、プレートの上面に、隣り合う指にそれぞれ装着するための長さの異なるベルトを設けるとともに、プレートの下面に、それぞれのベルトの端部を止着するための止着具を設けることにしているために、ベルトと止着具との止着位置を変更することで使用者の指の太さに応じた調整を容易に行うことができる。
【０００９】
特に、前記ベルトを、１本の帯状体の中途部を前記プレートに取付けた場合には、指間装着具の製造が容易なものとなり、製造コストを下げることができる。
【図面の簡単な説明】
【００１０】
【図１】本考案に係る指間装着具を示す平面図（ａ）、正面図（ｂ）、右側面図（ｃ）、正面断面図（ｄ）。
【考案を実施するための形態】
【００１１】
以下に、本考案に係る指間装着具の具体的な構造について図面を参照しながら説明する。
【００１２】
図１に示すように、指間装着具１は、足の指の平側に装着されるプレート２と、隣り合う指（一般的には、親指と人差し指）に巻くようにして装着される左右のベルト3,4とによって構成している。
【００１３】
プレート２は、皮製の上面材５と、ウレタン製のクッション性を有する中間材６と、皮製の下面材７とで三層構造となっている。なお、プレート２は、矩形板状に形成してもよいが、角部が足裏（指裏）に当たって不快感を与えることが無いように、ここでは、円形板状に形成している。
【００１４】
プレート２の上面材５には、前後に平行に伸延する一対の縦長矩形状の開口8,9を形成するとともに、プレート２の中間材６には、前後に伸延する縦長矩形状の開口10を形成している。
【００１５】
プレート２の下面材７の裏側には、ベルト3,4の端部を止着するための止着具（面ファスナ）11,12を取付けている。
【００１６】
左右のベルト3,4は、１本の帯状体13で形成されている。帯状体13の中途部をプレート２に形成した開口10で折り返し、帯状体13の一方側を開口８に挿通させるとともに、帯状体13の他方側を開口９に挿通させている。これにより、開口８に挿通させた帯状体13の一方側が左側のベルト３となり、開口９に挿通させた帯状体13の他方側が右側のベルト４となる。なお、帯状体13の折り返し位置を変更することで左右のベルト3,4の長さを調節することができる。
【００１７】
ここで、左右のベルト3,4は、左側のベルト３の方が右側のベルト４よりも長くなるようにして、基端部同士に環状の指間材14を装着している。
【００１８】
左右のベルト3,4（帯状体13）は、皮の裏側に布を貼着するなどして、止着具11,12で止着できるようにしている。
【００１９】
指間装着具１は、以上に説明したように構成しており、隣り合う指の平側にプレート２を装着するとともに、隣り合う指の間で指間材14を挟み、太い方の指（親指）に長さの長いベルト３を巻き付けて、ベルト３の端部を止着具11に止着させるとともに、細い方の指（人差し指）に長さの短いベルト４を巻き付けて、ベルト４の端部を止着具12に止着させる。これにより、足の指に指間装着具１を装着することができる。
【００２０】
以上に説明したように、上記指間装着具１は、プレート２の上面に、隣り合う指にそれぞれ装着するための長さの異なるベルト3,4を設けるとともに、プレート２の下面に、それぞれのベルト3,4の端部を止着するための止着具11,12を設けた構成となっている。
【００２１】
そのため、上記構成の指間装着具１では、ベルト3,4と止着具11,12との止着位置を変更することで使用者の指の太さに応じた調整を容易に行うことができる。
【００２２】
また、上記指間装着具１は、ベルト3,4を、１本の帯状体13の中途部をプレート２に取付けた構成となっている。
【００２３】
そのため、上記構成の指間装着具１では、指間装着具１の製造が容易なものとなり、製造コストを下げることができる。
【符号の説明】
【００２４】
１  指間装着具                            ２  プレート
3,4  ベルト                               ５  上面材
６  中間材                                ７  下面材
8,9,10  開口                              11,12  止着具
13  帯状体                                14  指間材
【図１】
0003229441.tif 000003